(57)【要約】  本発明は薬物注入用ニードルカテーテルに関するもので、薬物を排出するニードル組立体と、薬物を前記ニードル組立体に供給する薬物供給管と、前記薬物供給管を通じて供給される薬物の量を調節する薬物調節ハンドルとを含み、前記ニードル組立体は、前記薬物供給管と連通されるように結合される第１ニードルと、前記第１ニードルと並んで前記薬物供給管に結合された第２ニードルとを含み、前記第１ニードルと前記第２ニードルは隔壁によって互いに接触して結合されることを特徴とする。
2019509160.tif 000002
【特許請求の範囲】
【請求項１】
薬物供給管に結合されて薬物を人体内部に投薬するニードルカテーテルであって、
薬物を排出するニードル組立体と、
薬物を前記ニードル組立体に供給する薬物供給管と、
前記薬物供給管を通じて供給される薬物の量を調節する薬物調節ハンドルとを含み、
前記ニードル組立体は、
前記薬物供給管と連通されるように結合される第１ニードルと、
前記第１ニードルと並んで前記薬物供給管に結合された第２ニードルと、を含み、
前記第１ニードルと前記第２ニードルは隔壁によって互いに接触して結合され、外周面に薬物を人体に排出する中間排出孔が複数個貫通するように形成されて薬物注入速度を増大させることを特徴とする施術用ニードルカテーテル。
【発明の詳細な説明】
【技術分野】
【０００１】
本発明はニードル組立体に関するもので、より詳しくは、薬物を人体の内部により早く投薬することができる薬物供給用ニードル組立体に関するものである。
【背景技術】
【０００２】
食道及び胃腸組職の出血を抑制するために病変に硬化剤を内視鏡を通じて注入したり内視鏡を通じてポリプを除去する施術の際に細胞株（ｃｅｌｌ  ｌｉｎｅ）などの薬物の注入のために薬物注入用ニードルカテーテルを用いる。
【０００３】
図１は従来のニードルカテーテル１０の構成を概略的に示した概路図である。図示したように、従来のニードルカテーテル１０は、注射針１１と、薬物を注射針１１に供給する供給管１３と、薬物パック（図示しない）と連結されて薬物パック（図示しない）から供給管１３に供給される薬物の量を調節する調節ハンドル１５とを含む。
【０００４】
ここで、従来の注射針１１は、拡大して示したように、所定の長さを有する管状に形成され、一端に開放形成された排出孔を通じて薬物を人体に投薬することになる。
【０００５】
大きいポリプや複数個のポリプを除去する施術の際にはセルラインなどの薬物を多量注入しなければならない。しかしながら、従来の注射針１１は直径ｒ１が一定するように０．２〜０．３ｍｍに形成されるため、注射針１１を通じて人体に注入される薬物の量に制約があった。
【０００６】
薬物の注入が遅くなると止血が遅くなり、適時に止血がなされない場合、細菌と胃酸で炎症反応及び細菌による感染が発生し、炎症が持続すると潰瘍が発生して予後が良くないという結果をもたらすことがある。
【発明の概要】
【発明が解決しようとする課題】
【０００７】
本発明の目的は、前述した問題を解決するために、迅速に多量の薬物を人体に注入することができるニードルカテーテルを提供することにある。
【０００８】
本発明の他の目的は、薬物の注入経路を多様化してより早く薬物を注入することができるニードルカテーテルを提供することにある。
【０００９】
本発明の前述した目的と様々な長所は当該技術分野において熟練された人々によって本発明の好ましい実施例からより明確になり得る。
【課題を解決するための手段】
【００１０】
本発明の目的は、薬物を人体内部に投薬するニードルカテーテルによって達成されることができる。本発明のニードルカテーテルは、薬物を排出するニードル組立体と、薬物を前記ニードル組立体に供給する薬物供給管と、前記薬物供給管を通じて供給される薬物の量を調節する薬物調節ハンドルとを含み、前記ニードル組立体は、前記薬物供給管と連通されるように結合される第１ニードルと、前記第１ニードルと並んで前記薬物供給管に結合された第２ニードルとを含み、前記第１ニードルと前記第２ニードルは隔壁によって互いに接触して結合されることを特徴とする。
【００１１】
一実施例によれば、前記第１ニードルと前記第２ニードルは外周面に薬物を人体に排出する中間排出孔が複数個貫通して形成される。
【発明の効果】
【００１２】
本発明による薬物注入用ニードルカテーテルは、二つのニードルが同時に薬物を人体に排出して人体に注入される薬物の投入量を増加させることができる。
【００１３】
また、ニードルの表面に複数個の排出孔を形成して、人体に薬物が注入される経路を多様化して薬物の供給量を増加させることができる。
【００１４】
それにより、ポリプを除去する施術の際に迅速に薬物を投入して早く止血することができることになる。
【図面の簡単な説明】
【００１５】
【図１】従来のニードルカテーテルの構成を示した斜視図である。
【図２】本発明によるニードルカテーテルの構成を示した斜視図である。
【図３】本発明によるニードルカテーテルを利用して人体に薬物を注入する過程を示した例示図である。
【発明を実施するための形態】
【００１６】
本発明を充分に理解するために、本発明の好ましい実施例を添付図面を参照して説明する。本発明の実施例は様々な形態で変形されることができ、本発明の範囲が以下で詳しく説明する実施例に限定されることに解釈してはならない。本実施例は本発明が属する技術分野において平均的な知識を有する者に本発明をより完全に説明するために提供するものである。従って図面における要素の形状などはより明確な説明を強調するために誇張されて表現されることがある。各図面において同じ部材は同じ参照符号で示したことに留意すべきである。本発明の要旨を不必要に曖昧にする虞があると判断される公知機能及び構成に対する詳細な技術は省略する。
【００１７】
図２は本発明による薬物注入用ニードルカテーテル１００の構成を示した斜視図である。図示したように、本発明の薬物注入用ニードルカテーテル１００は薬物を人体に投薬するニードル組立体１１０と、薬物をニードル組立体１１０に供給する薬物供給管１２０と、薬物パック（図示しない）または輸液パック（図示しない）などの薬物が薬物供給管１２０に供給される量を調節する調節ハンドル１３０とを含む。
【００１８】
本発明によるニードル組立体１１０は一対のニードル１１１、１１３が互いに結合された形態で配置される。即ち、第１ニードル１１１及び第２ニードル１１３が隔壁１１５を中心として互いに並んで結合されて形成される。第１ニードル１１１及び第２ニードル１１３は薬物供給管１２０と連通されるように配置され、同時に薬物Ａを人体内部に注入する。
【００１９】
第１ニードル１１１と第２ニードル１１３はそれぞれ端部が３０〜６０゜角度に鋭く研磨して形成される。それにより、人体に容易に挿入されることができる。第１ニードル１１１と第２ニードル１１３の端部には端部排出孔１１１ａ、１１３ａがそれぞれ備えられて、薬物を人体に注入する。
【００２０】
一方、第１ニードル１１１と第２ニードル１１３は断面が半円形に形成され、隔壁１１５を互いに共有する形態に配置される。この時、第１ニードル１１１と第２ニードル１１３の外周面には長さ方向に沿って複数個の中間排出孔１１１ｂ、１１３ｂが貫通して形成される。
【００２１】
図３に示したように、薬物Ａが供給される時、薬物Ａは第１ニードル１１１と第２ニードル１１３に付いて移動され、複数個の中間排出孔１１１ｂ、１１３ｂに沿って人体に注入され、端部排出孔１１１ａ、１１３ａを通じても人体に注入される。
【００２２】
図１に示した従来の注射針１１は薬物が排出される経路が１ヶ所だけであるので、薬物が人体に注入される量が制限される。
【００２３】
一方、本発明によるニードル組立体１１０は薬物供給管１２０を通じて供給される薬物Ａが第１ニードル１１１と第２ニードル１１３の長さ方向に沿って移動され、中間に形成された中間排出孔１１１ｂ、１１３ｂに沿って人体に供給され、端部排出孔１１１ａ、１１３ａを通じても人体に供給される。
【００２４】
従って、多量の薬物が多様な経路で人体に同時に注入されるので薬物注入速度も早く、多量の薬物が早く注入されることができるという效果を奏する。
【００２５】
ここで、第１ニードル１１１と第２ニードル１１３を合した全体直径ｒ２は第１ニードル１１１と第２ニードル１１３の直径の和であるので、従来の注射針の直径ｒ１の１．５〜２倍にあたる。
【００２６】
中間排出孔１１１ｂ、１１３ｂの直径は薬物注入用ニードルカテーテル１００が用いられる手術または施術の種類と注入される薬物の種類によって相異するように調節することができる。
【００２７】
薬物供給管１２０はニードル組立体１１０と調節ハンドル１３０とを連結する。薬物供給管１２０は供給される薬物の種類によって多様に備えられることができる。
【００２８】
調節ハンドル１３０は施術者が容易に薬物供給量を調節することができるように便宜を考慮したデザインに設計される。
【００２９】
このような構成を有する本発明による薬物注入用ニードルカテーテル１００を利用した薬物注入過程を図２及び図３を参照して説明する。
【００３０】
病院で食道、胃癌及び大膓癌などの検診時に発見されるポリプなどを取り除く施術の際に、本発明の薬物注入用ニードルカテーテル１００を用いることができる。
【００３１】
本発明の薬物注入用ニードルカテーテル１００を利用して細胞株（ｃｅｌｌ  ｌｉｎｅ）などの薬物を注入する。
【００３２】
ニードル組立体１１０の鋭い先端を患者の施術部位に挿入する。そして、薬物パック（図示しない）を調節ハンドル１３０に連結し、人体に投入する薬物の量を調節する。
【００３３】
薬物は薬物供給管１２０に沿って移動した後ニードル組立体１１０を通じて人体に供給される。この時、図３に示したように、薬物Ａは第１ニードル１１１と第２ニードル１１３について移動し、外壁面に貫通して形成された複数個の中間排出孔１１１ｂ、１１３ｂを通じて人体の内部に供給される。
【００３４】
また、薬物Ａは第１ニードル１１１と第２ニードル１１３の先端に形成された端部排出孔１１１ａ、１１３ａを通じて人体内に供給される。
【００３５】
本発明によるニードル組立体１１０は一対のニードル１１１、１１３を通じて同時に薬物を人体に排出し、ニードル１１１、１１３の表面に形成された複数個の中間排出孔１１１ｂ、１１３ｂを通じて多様な経路で薬物を人体に注入する。
【００３６】
それにより、従来の注射針に比べて、同一時間に人体に投入される薬物の量が顕著に増加されることができる。従って、短時間に多量の薬物を投入して迅速に止血することができる。
【００３７】
以上で説明したように、本発明による薬物注入用ニードルカテーテルは二つのニードルが同時に薬物を人体に排出して人体に注入される薬物の投入量を増加させることができる。
【００３８】
また、ニードルの表面に複数個の排出孔を形成して、人体に薬物が注入される経路を多様化して薬物の供給量を増加させることができる。
【００３９】
それにより、ポリプを取り除く施術の際に迅速に薬物を投入して早く止血することができる。
【００４０】
以上で説明した本発明における薬物注入用ニードルカテーテルの実施例は例示的なものに過ぎず、本発明が属する技術分野における通常の知識を有する者であれば、これから多様な変形及び均等な他の実施例が可能であることを理解すべきである。そこで、本発明は前述した詳細な説明で言及される形態のみに限定されるのではないことも理解し得る。従って、本発明の真正な技術的保護範囲は特許請求範囲の技術的思想によって定められるべきである。また、本発明は特許請求範囲によって定義される本発明の精神とその範囲内にある全ての変形物と均等物及び代替物を含むことを理解すべきである。
【符号の説明】
【００４１】
１００：薬物注入用ニードルカテーテル
１１０：ニードル組立体
１１１：第１ニードル
１１１ａ：第１端部排出孔
１１１ｂ：第１中間排出孔
１１３：第２ニードル
１１３ａ：第２端部排出孔
１１３ｂ：第２中間排出孔
１１５：隔壁
１２０：薬物供給管
１３０：調節ハンドル
【図１】
2019509160.tif 000003
【図２】
2019509160.tif 000004
【図３】
2019509160.tif 000005
【国際調査報告】
2019509160.tif 000006
2019509160.tif 000007
2019509160.tif 000008
2019509160.tif 000009